(57)【特許請求の範囲】
【請求項１】
脚および足の矯正機において、支持台１を中心に上部には脚矯正時に中心となる大腿後方板２が形成されており、前記大腿後方板２にはバンド４が取り付けられており、前記バンド４は大腿後方板２を中心に左右の適当な位置に移動することができ、前記支持台１を中心に下部には足裏板３が形成されており、前記足裏板３には矯正用履き物５が取り付けられており、前記矯正用履き物５は前記足裏板３で足首関節高さ線１１を中心に左右の適当な位置に移動することができるように形成されており、前記支持台１は大腿後方板２を上下に調節することができるのみならず、膝高さ線１０を中心に前後に調節することができ、座ったままの状態でも取り付けて矯正することができるように構成されていることを特徴とする脚及び足の矯正機。
【請求項２】
前記脚矯正機において、支持台１を中心に大腿後方板２を上下に位置を調節することができ、座ったままの状態で着用して矯正することができ、変形した脚の形態により矯正バンド４を左右に調整して用いることができ、変形した状態により大腿後方板２を前後の一定角度に曲げた状態に変形させるが、後方屈曲の後ろに歪んだ状態で、前方屈曲は前に歪んだ状態で矯正することができるように構成されていることを特徴とする請求項１記載の脚及び足の矯正機。
【請求項３】
前記足の矯正機において、足裏板３上に設けられた矯正用履き物５は、足調節軸６を中心に左右上下に移動できるように、回転ユニット７が取り付けられた前軸調節ユニット８と後軸調節ユニット９とで構成されており、矯正用履き物５を左右に移動するか、足裏板３を上下の一定角度に曲げることにより、変形した足を矯正することができるように構成されることを特徴とする請求項１記載の脚及び足の矯正機。
【請求項４】
硬腓骨逆回転矯正機において、下部の足矯正の中心となる軸まで連結されている支持台１と、前記支持台１の上部に形成されている「Ｌ」形状の屈折支持台２’と、前記支持台１と前記屈折支持台２’に形成されている、脚を固定させるバンド４と、前記支持台１が延長されてその下部に設けられている、足矯正役割を果たす足裏板３と、前記足裏板３に連結されている、上下左右に回転させて異常な足を矯正することができる回転ユニット７と、前記足裏板３と回転ユニット７に連結されている、矯正用履き物５の裏に形成された前軸調節ユニット８及び後軸調節ユニット９とを含んで構成されることを特徴とする硬腓骨逆回転矯正機。
【発明の詳細な説明】
【０００１】
【発明の属する技術分野】
本発明は、歪んだ脚を真っ直ぐで正しい脚に矯正すると同時に、異常に発達した足を矯正させるための硬腓骨逆回転矯正機を含んだ脚及び足の矯正機に関する。
【０００２】
本発明は、硬腓骨と腓骨の歪みのため異常に発達した脚の状態、即ち歩行時に脛の部分が異常に内側や外側に歪んだ状態をいい、普段八の字歩き又は内わにというものを広く矯正することができ、その異常な状態により矯正範囲を設定して支持帯の長さを調節することができ、特に、矯正の際に大腿骨と股関節が回転する状態を抑制しながら矯正することができる装置に関する。
【０００３】
【従来の技術】
極小の数の人々はいろいろ分からない原因で脚と足が変形され、見かけがよくないとともに、自ら恥ずかしがることはもちろんのこと、歩行が不便になるのみならず、悪い姿勢のため持病をもたらす恐れがあるので、これを矯正するために多角的に研究されてきて、その結果として脚矯正機などが公開され始めた。
【０００４】
韓国実用新案公報第９２―８７８５号は、支持台と稼働部である着用角度自動調節板を備え、骨の曲がった角度により自動調節されて全体面積に圧力が分散されるように構成した、上下２行締付け方式で形成した脚矯正機に関する。
【０００５】
また、韓国実用新案公報第９６―３３９３号は、上方支持フレームに大腿固定バンドを固定し、支持フレームの下方に脱着用具を設けたものて、前記脱着用具の踝の保護部をシリコンで形成し、支持フレームの中間部位に固定させた脛引張バンドに脛の側面保護台を固定させるが、脛引張バンドを面ファスナーで着脱自在にできるように設けた脚矯正機に関する。
【０００６】
しかし、上記のような脚矯正機は、支持部が固定式であるので多様な曲げた角度に適応することができなく、着用時に骨の曲がった角度と支持部の着用角度とが合わない場合には、部分的な圧迫によって圧迫部位が痛くて長い時間着用できないという問題点があり、前記伸縮バンドは、長期間使用後には伸縮力が弱くなって矯正効果がだんだん低下するだけではなく、異常な脚と足を同時に矯正することができないという問題点があった。
【０００７】
【発明が解決しようとする課題】
本発明はかかる従来の問題点を解決するためのもので、その目的は室内で勉強するときや寝るときに継続的に又は反復的に簡便に着用することができ、使用者の脚長さにかかわらず自在に長さを合わせて用いることができ、曲げた状態、曲げた角度の差にもかかわらないのみならず、着用時に着用部位が圧迫されないので、血液循環を妨害するか、筋肉を萎縮させることなく用いることができ、異常な状態により矯正範囲を自由に設定して異常に発達した脚と足の部分を同時に矯正することができる硬腓骨逆回転矯正機を含む脚及び足の矯正機を提供することにある。
【０００８】
【課題を解決するための手段】
上記目的を達成するために、本発明による脚及び足の矯正機は、支持台と、支持台の上部に取り付けられる脚の矯正機と、支持台の下部に取り付けられて足を矯正させる足支持台と、足支持台に取り付けられて足を矯正することができる硬腓骨を含む履き物とで構成されることを特徴とする。
【０００９】
尚、本発明による脚矯正機は、脛部分と膝及び大腿骨領域関連の異常状態をＯ型又はＸ型に限らず広範囲に矯正することができ、その異常状態でも矯正することができるように支持台を変形させることができる。
【００１０】
尚、本発明による足矯正機は、足支持台と履き物で構成されており、足支持台は、矯正用履き物を左右に移動することができ、履き物は、前軸と後軸を分離し、踵と足先の歪みを矯正するために、履き物の前軸と後軸が上下左右に自在に移動することができるように構成されている。
【００１１】
脚の変形を大別してみると、大部分は、脛が外側に突出し、大腿と足が傾斜状態に形成される変形であり、一部分は、これと反対に脛が内側に歪んで膝が接し、足の位置が広い状態になる変形である。前者をＯ型変形、後者をＸ型変形といい、本発明は、両者とも矯正することができ、同時に足骨の変形も矯正することができるということを特徴とする。
【００１２】
足の構造においては正常に発達した踵（かかと）のための構造を有するのが最も重要である。
【００１３】
足の骨の中で他の骨の異常より踵骨の異常は足に致命的である。これは、踵が足の部分で体の体重を直接受けて立てることができるようにする役割を果たすので、踵に衝撃を加えると足を通して脊椎を介して脳に直接伝達される身体構造になっているからである。
【００１４】
踵の構造が歪むか異常であるとき、歩行姿勢が正常ではないので、歩行時の振動のため頭が悪くなることや、身体の発達が異常になるので、頻繁に病気になり、遺伝的に弱い部分が早期に悪化し、異常な歩行姿勢のため見かけのよくない人になって第三者に好印象を与えないことなど、その影響は言えないほど多い。
【００１５】
特に、小児たちは発育が完了されていない段階、即ちひとり歩きをするときから小児の身体に適する履き物を選択し、踵骨が正確な部位に位置して成長すると、あれこれと病気をたびたび病むことなく、成長速度も速くなり、身体の全体的均衡がすらりとした体付きを持って発育することができる。
【００１６】
【発明の実施の形態】
以下、図面を参照して詳細に説明する。
【００１７】
図１は本発明による脚及び足の矯正機の図面であって、図１Ａは斜視図、図１Ｂは側面図、図１Ｃは矯正用履き物の側面図である。図２は本発明による脚及び足の矯正機の分解図である。図３は本発明による脚及び足の矯正機における足矯正用履き物の図面であって、図３Ａは外側に変形した足の矯正状態を示す図面であり、図３Ｄは前記図３Ａの状態における足調節軸の状態を示す図面であり、図３Ｂ、図３Ｅ及び図３Ｈは正常な履き物と足調節軸の状態を示す図面であり、図３Ｃは内側に変形した足の矯正状態を示す図面であり、図３Ｆは前記図３Ｃの状態における足調節軸の状態を示す図面であり、図３Ｇは内転足の矯正状態を示す図面であり、図３Ｉは外転足の矯正状態を示す図面である。図４は本発明による脚及び足の矯正機における脚矯正機の図面であって、図４Ａは平面図であり、図４Ｂは正面図であり、図４Ｃは後方屈曲を示す図面であり、図４Ｄは前方屈曲を示す図面である。図５は本発明による脚及び足の矯正機における足裏板と足矯正用履き物の図面であって、図５Ａは使用状態図であり、図５Ｂは正面図であり、図５Ｃは後方屈曲を示す図面であり、図５Ｄは上方屈曲を示す図面である。そして、図面において、１は支持台であり、２’は屈折支持台であり、２は大腿後方板（Ｐｏｓｔｅｒｉｏｒ  ｔｈｉｇｈ  ｂａｒ）であり、３は足裏板（Ｐｌａｎｔａｒ  ｂａｒ）であり、４はバンドであり、５は足矯正用履き物であり、６は足調節軸であり、７は回転ユニットであり、８は前軸調節ユニットであり、９は後軸調節ユニットであり、１０は膝高さ線であり、１１は足首関節高さ線（Ａｎｋｌｅ  Ｊｏｉｎｔ  Ｌｅｖｅｌ）である。
【００１８】
使用状態を下記の一実施例を参照して説明すると次のようである。
【００１９】
支持台１を中心に上部には脚矯正時に中心となる大腿後方板２が形成されており、前記大腿後方板２にはバンド４が取り付けられており、前記バンド４は大腿後方板２を中心に左右の適当な位置に移動させることができ、前記支持台１を中心に下部には足裏板３が構成されており、前記足裏板３には矯正用履き物５が取りられており、前記矯正用履き物５は前記足裏板３を中心に左右の適当な位置に移動させることができるように構成されており、前記支持台１は大腿後方板２を上下に調節することができるのみならず、膝の高さ線１０を中心に前後に調節することができ、座ったままの状態でも取り付けることができるように構成されている。
【００２０】
第１に、脚矯正時には、図１のような本発明の脚及び足矯正機を、変形した脚と足に合わせて着用するために、支持台１を中心に大腿後方板２を上下に位置を調節することができ、図２のように座ったままの状態で着用して矯正することができ、図４のように変形した脚の形態により矯正バンド４を左右に調整して用いることができ、変形した状態により大腿後方板２を前後の一定角度に曲げた状態に変形させることにより変形した脚を矯正することができ、具体的な矯正例は、図４に示すように、図４Ｃの後方屈曲の矯正状態、図４Ｄの前方屈曲の矯正状態であり、これらの状態を施して矯正する。
【００２１】
第２に、足矯正時には、足裏板３上に設けられた矯正用履き物５を左右に移動させるか、足裏板３を上下の一定角度に曲げることにより、変形した足を図３のように矯正する。図３は本発明による脚及び足の矯正機における足矯正用履き物の図面であって、図３Ａは外側に変形した足の矯正状態を示す図面であり、図３Ｄは前記図３Ａの状態における足調節軸の状態を示す図面であり、図３Ｂ、図３Ｅ、及び図３Ｈは正常な履き物と足調節軸の状態を示す図面であり、図３Ｃは内側に変形した足の矯正状態を示す図面であり、図３Ｆは前記図３Ｃの状態における足調節軸の状態を示す図面であり、図３Ｇは内転足の矯正状態を示す図面であり、図３Ｉは外転足の矯正状態を示す図面である。図３Ｇと図３Ｉのように施して矯正することができる。
【００２２】
矯正用履き物５は、足調節軸６を中心に左右上下に移動できるように、回転ユニット７が取り付けられた前軸調節ユニット８と後軸調節ユニット９とで構成されており、図５のように足の変形により好ましい上下前後角度に調節して矯正することができる。矯正状態において、図５は本発明による脚及び足の矯正機における足裏板と足矯正用履き物の図面であって、図５Ａは使用状態図であり、図５Ｂは正面図であり、図５Ｃは下方屈曲を示す図面であり、図５Ｄは上方屈曲を示す図面である。図５Ｃと図５Ｄのように施して矯正することができる。
【００２３】
また、使用状態を下記の第２実施例を参照して説明すると次のようである。
【００２４】
支持台１は下部足矯正の中心となる軸まで連結されており、前記支持台の上部には「Ｌ」形状の屈折支持台２’がボルトとナットで連結されており、前記支持台１と前記屈折支持台２’には脚を固定させるバンド４が取り付けられており、前記支持台１が延長されてその下部には、足矯正役割を果たす足裏板３と回転ユニット７が、矯正用履き物の裏に形成された前軸調節ユニット８及び後軸調節ユニット９によって結合されており、前記足裏板３に連結されている回転ユニット７を上下左右に回転させて異常な足を矯正することができる装置である。
【００２５】
第１に、脚矯正時には、図６のような本発明の装置を変形した脚と足に合わせて着用するために、支持台１を中心に矯正バンド４を上下又は左右に位置を調節することができ、座ったまま状態で着用して矯正することができ、変形した状態により屈折支持台２’を前後の一定角度に曲げた状態に変形させることにより変形した脚を矯正することができる。
【００２６】
第２に、足矯正時には、支持台下部１上に設置された矯正用履き物５を左右に移動するか、足裏板３を上下の一定角度に曲げることにより、変形した足を矯正する。足矯正用履き物は足の角度を左右又は内外側に調整して矯正するものである。
【００２７】
矯正用履き物５の使用状態は上記第１実施例と同一である（図７乃至図９参照）。
【００２８】
従って、上記したように本発明は、脚と足の変形を同時に矯正することができ、座ったままの状態でも矯正することができるように発明したものである。
【００２９】
【発明の効果】
上記のような本発明は、簡単な構造で構成されており、室内で勉強するときや寝るときに継続的に又は反復的に簡便に着用することができ、使用者の脚長さにかかわらず自在に長さを合わせて用いることができ、曲げた状態、曲げた角度の差にもかかわらないのみならず、着用時に着用部位が圧迫されないので、血液循環を妨害するか、筋肉を萎縮させなく用いることができ、異常に発達した脚と足の部分を同時に矯正することができるという効果がある。
【図面の簡単な説明】
【図１】本発明による脚及び足の矯正機の図面であって、図１Ａは斜視図であり、図１Ｂは側面図であり、図１Ｃは矯正履き物である。
【図２】本発明による脚及び足の矯正機の分解図である。
【図３】本発明による脚及び足の矯正機における足矯正用履き物の図面であって、図３Ａは外側に変形した足の矯正状態を示す図面であり、図３Ｄは前記図３Ａの状態における足調節軸の状態を示す図面であり、図３Ｂ、図３Ｅ、及び図３Ｈは正常な履き物と足調節軸の状態を示す図面であり、図３Ｃは内側に変形した足の矯正状態を示す図面であり、図３Ｆは前記図３Ｃの状態における足調節軸の状態を示す図面であり、図３Ｇは内転足の矯正状態を示す図面であり、図３Ｉは外転足の矯正状態を示す図面である。
【図４】本発明による脚及び足の矯正機における脚矯正機の図面であって、図４Ａは平面図であり、図４Ｂは正面図であり、図４Ｃは後方屈曲を示す図面であり、図４Ｄは前方屈曲を示す図面である。
【図５】本発明による脚及び足の矯正機における足裏板と足矯正用履き物の図面であって、図５Ａは使用状態図であり、図５Ｂは正面図であり、図５Ｃは下方屈曲を示す図面であり、図５Ｄは上方屈曲を示す図面である。
【図６】本発明による脚及び足の矯正機における硬腓骨逆回転矯正機の斜視である。
【図７】本発明による脚及び足の矯正機における硬腓骨逆回転矯正機の側面図である。
【図８】本発明による脚及び足の矯正機における硬腓骨逆回転矯正機の分解図である。
【図９】本発明による  脚及び足の矯正機における硬腓骨逆回転矯正機で履き物部分の分解図である。
【符号の説明】
１  支持台
２  大腿後方板（Ｐｏｓｔｅｒｉｏｒ  ｔｈｉｇｈ  ｂａｒ）
２’屈折支持台
３  足裏板（Ｐｌａｎｔａｒ  ｂａｒ）
４  バンド
５  矯正用履き物
６  足調節側
７  回転ユニット
８  前軸調節ユニット
９  後軸調節ユニット
１０  膝高さ線
１１  足首関節高さ線（Ａｎｋｌｅ  Ｊｏｉｎｔ  Ｌｅｖｅｌ）
【図１】
0003575792.tif 000002
【図２】
0003575792.tif 000003
【図３】
0003575792.tif 000004
【図４】
0003575792.tif 000005
【図５】
0003575792.tif 000006
【図６】
0003575792.tif 000007
【図７】
0003575792.tif 000008
【図８】
0003575792.tif 000009
【図９】
0003575792.tif 000010